(57)【要約】【課題】  一次射出成形部が二次射出成形用キャビティ部に落ち込まない。【解決手段】  型閉すると共に横方向にスライドコア４を前進させて一次射出成形用キャビティ部１２を形成する。次に、一次射出成形用キャビティ部１２に第一の樹脂１３を射出して一次射出成形部１１を成形する。次に、一次射出成形部１１を保持手段５で保持した状態で、スライドコア４を後退させて二次射出成形用キャビティ部２２を形成すると共に、スライドコア４の移動方向から投影した該二次射出成形用キャビティ部２２の投影面内に該投影面よりも小さい一次射出成形部１１の投影面が完全に重複するように二次射出成形用キャビティ部２２の大きさを設定する。次に、一次射出成形部１１を保持した状態で、二次射出成形用キャビティ部２２に第二の樹脂２３を射出して二次射出成形部２１を形成する。【選択図】        図１
2005271289.tif 000002
【特許請求の範囲】
【請求項１】
一次射出成形部と二次射出成形部とが重複一体化された合成樹脂射出成形品を型開き方向が横方向となった射出成形用金型装置により成形するための成形方法であって、複数の金型部よりなる射出成形用金型装置を型閉すると共に金型部に横方向に前進後退自在に設けたスライドコアを前進させて一次射出成形用キャビティ部を形成し、次に、この一次射出成形用キャビティ部に第一の樹脂を一次射出成形により射出して一次射出成形部を成形し、次に、一次射出成形部を保持手段で保持した状態で、スライドコアを一次射出成形部から離れる方向に後退させて二次射出成形用キャビティ部を形成すると共に、スライドコアの移動方向から投影した該二次射出成形用キャビティ部の投影面内に該投影面の投影面積と同じか又は小さい投影面積の上記一次射出成形部の投影面が完全に重複するように二次射出成形用キャビティ部の大きさを設定し、次に、保持手段で一次射出成形部を保持した状態で、二次射出成形用キャビティ部に第二の樹脂を射出して一次射出成形部よりも投影面積が同じか又は大きい二次射出成形部を形成すると共に二次射出成形部に一次射出成形部を重複一体化することを特徴とする合成樹脂射出成形品の成形方法。
【請求項２】
スライドコアにスライドコアの移動方向に孔を貫通形成し、該孔に保持ピンをスライド自在に嵌挿し、スライドコアを前進させた一次射出成形時に保持ピンがスライドコアの一次射出成形用キャビティ部に面する前面よりも一次射出成形用キャビティ部から離れる方向に引き込んで孔の前端部に充填用孔部を形成し、一次射出成形により一次射出成形用キャビティ部内に第一の樹脂が充填された際に充填用孔部に同時に第一の樹脂を充填することで、一次射出成形用キャビティ部に充填した第一の樹脂により一次射出成形部を成形すると共に、充填用孔部に充填した第一の樹脂により上記一次射出成形部の片面に突出した突部を一体に成形し、次に、突部の突出先端面を保持ピンの前端で保持した状態でスライドコアを後退させて二次射出成形用キャビティ部を形成し、次に、突部の突出先端面を保持ピンの前端で保持した状態のまま二次射出成形用キャビティ部に第二の樹脂を射出して一次射出成形部よりも投影面積が同じか又は大きい二次射出成形部を形成すると共に二次射出成形部に一次射出成形部を重複一体化し且つ突部を二次射出成形部内に一体に埋設することを特徴とする請求項１記載の合成樹脂射出成形品の成形方法。
【請求項３】
第一の樹脂が硬質樹脂で、第二の樹脂が軟質樹脂であることを特徴とする請求項１又は請求項２記載の合成樹脂射出成形品の成形方法。
【請求項４】
一次射出成形部と二次射出成形部とが重複一体化された合成樹脂射出成形品を成形するための複数の金型部よりなり且つ型開き方向が横方向となった射出成形用金型装置であって、金型部に横方向に前進後退自在にスライドコアを設け、複数の金型部を型閉すると共にスライドコアを前進させて一次射出成形用キャビティ部を形成し、該一次射出成形用キャビティ部に第一の樹脂を射出して一次射出成形部を形成するための第一のゲートを設け、スライドコアを一次射出成形部から離れる方向に後退させた状態で二次射出成形用キャビティ部を形成すると共に、スライドコアの移動方向から投影した該二次射出成形用キャビティ部の投影面内に該投影面の投影面積と同じか又は小さい投影面積の上記一次射出成形部の投影面が完全に重複するように二次射出成形用キャビティ部の大きさを設定し、該二次射出成形用キャビティ部に第二の樹脂を射出して二次射出成形部を形成するための第二のゲートを設け、
射出成形用金型装置を型閉すると共にスライドコアを前進させて一次射出成形用キャビティ部を形成し、この一次射出成形用キャビティ部に第一の樹脂を一次射出成形により射出して一次射出成形部を成形する一次射出工程と、
一次射出成形部を保持手段で保持した状態で、スライドコアを後退させて二次射出成形用キャビティ部を形成し、保持手段によって一次射出成形部の保持を継続した状態で、二次射出成形用キャビティ部に第二の樹脂を射出して二次射出成形部を形成すると共に二次射出成形部に一次射出成形部を重複一体化する二次射出工程を
実行するように制御する制御部を設けて成ることを特徴とする射出成形用金型装置。
【請求項５】
スライドコアにスライドコアの移動方向に孔を貫通形成し、該孔に保持ピンを保持ピンに対してスライドコアが移動自在となるように嵌挿し、スライドコアを前進させた状態で保持ピンの前端面がスライドコアの一次射出成形用キャビティ部に面する前面よりも一次射出成形用キャビティ部から離れる方向に引き込んで孔の前端部に充填用孔部を形成し、スライドコアを後退させて二次射出成形用キャビティ部を形成した状態でスライドコアに対して保持ピンが相対的に前進して保持ピンの前端がスライドコアの二次射出成形用キャビティ部に面する面と面一となるように設定して成ることを特徴とする請求項４記載の射出成形用金型装置。
【請求項６】
保持ピンを一次射出成形部のスライドコアの移動方向における成形時の収縮寸法以上スライドコアの前進方向と逆方向に移動自在とすると共に、該保持ピンをバネにより一次射出成形用キャビティ部側に向けてバネ付勢して成ることを特徴とする請求項５記載の射出成形用金型装置。
【請求項７】
スライドコアの移動方向から投影した該二次射出成形用キャビティ部の投影面内に、一次射出成形用キャビティ部に充填形成された一次射出成形部の収縮した状態におけるスライドコアの移動方向から投影した投影面が完全に重複し且つ該一次射出成形部の収縮後のスライドコアの移動方向から投影した投影面の外端の少なくとも一部がスライドコアの移動方向から投影した該二次射出成形用キャビティ部の投影面の外端の少なくとも一部に一致するように設定して成ることを特徴とする請求項４乃至請求項６のいずれかに記載の射出成形用金型装置。
【発明の詳細な説明】
【技術分野】
【０００１】
本発明は、合成樹脂射出成形品の成形方法及び射出成形用金型装置に関するものである。
【背景技術】
【０００２】
従来から射出成形により一次射出成形部を形成し、更に、射出成形により一次射出成形部よりも移動金型の移動方向から投影した投影面積が大きい二次射出成形部を成形すると共に該二次射出成形部と上記一次射出成形部とを重複一体化して合成樹脂射出成形品を成形することが行われている。（例えば、特許文献１参照）
この特許文献１に示された従来例は、第一の射出成形用金型装置により硬質樹脂で一次射出成形部である盆ベースを成形し、この盆ベースを第一の射出成形用金型装置から取出し、次に、型開き方向が縦方向（上下方向）となった第二の射出成形用金型装置の可動金型部の凹部に盆ベースを底面側を下にして載置し、可動金型部を前進させて型閉めすることで、固定金型部の下面と可動金型部の凹部に載置した盆ベースの上面側との間に二次成形用キャビティ部を形成し、該二次成形用キャビティ部内に軟質樹脂を射出して充填することで一次射出成形部の上面側に軟質樹脂製の滑り止め部を形成するようになっている。ここで、軟質樹脂製の滑り止め部は盆ベースの全上面と縁部を回り込んで覆うように成形されるので、滑り止め部は可動金型部の移動方向から投影した投影面の投影面積が盆ベースの投影面の投影面積よりも大きく且つ滑り止め部の投影面の一部に盆ベースの投影面が完全に重複するようになっている。
【０００３】
このように、投影面積の小さい盆ベースに投影面積の大きい滑り止め部を重複一体化して盆（合成樹脂射出成形品）を成形するのであるが、従来にあっては、盆ベースを成形するための第一の射出成形用金型装置と、盆ベース上及び外周部に滑り止め部を射出成形するための第二の射出成形用金型装置との２つの射出成形用金型装置を必要とし、成形コストが高くなり、また、成形時間も長くなるという問題があった。また、上記従来例においては、第二の射出成形用金型装置の可動金型部の凹部に盆ベースをセットして二次成形用キャビティ部を形成するに当たって、可動金型部の型開き方向が縦方向（上下方向）でなければならず、可動金型部の型開き方向が横方向のものには適用できないという問題があった。つまり、上記従来例のように、可動金型部の型開き方向を縦方向（上下方向）とし、更に、この可動金型部の凹部の開口を上向きにして該凹部に盆ベースの底面側を下にして載置し、固定金型部の下面と可動金型部の凹部に載置した盆ベースの上面側との間に二次成形用キャビティ部を形成することで、盆ベースが該盆ベースよりも投影面積の大きい二次成形用キャビティ部内に脱落することがないが、可動金型部の型開き方向を横方向（水平方向）とすると、可動金型部の凹部が横方向に開口して該凹部に盆ベースを起立させた状態でセットし、固定金型部の内側面と可動金型部の凹部にセットして起立した盆ベースの側面との間に盆ベースよりも投影面積の大きい二次成形用キャビティ部が形成されるため、投影面積の小さい盆ベースが投影面積の大きい二次成形用キャビティ部内に落ち込んでしまって、軟質樹脂製の滑り止め部を正確に射出成形できないという問題がある。
【０００４】
ここで、本発明者は本発明に至る過程で、上記のように２つの射出成形用金型装置を使用することなく、１つの射出成形用金型装置を用いて、上記のような投影面積の小さい一次射出成形部に投影面積の大きい二次射出成形部を重複一体化することを考えた。
【０００５】
すなわち、複数の金型部よりなる射出成形用金型装置を型閉すると共に金型部に前進後退自在に設けたスライドコアを前進させて一次射出成形用キャビティ部を形成し、次に、この一次射出成形用キャビティ部に第一の樹脂を一次射出成形により射出して一次射出成形部を成形し、次に、スライドコアを一次射出成形部から離れる方向に後退させて二次射出成形用キャビティ部を形成し、スライドコアの移動方向から投影した該二次射出成形用キャビティ部の投影面内の一部に該投影面よりも小さい上記一次射出成形部の投影面が完全に重複するように二次射出成形用キャビティ部の大きさを設定し、二次射出成形用キャビティ部に第二の樹脂を射出して一次射出成形部よりも投影面積の大きい二次射出成形部を形成すると共に二次射出成形部の一部に一次射出成形部を重複一体化するという方法である。
【０００６】
ところが、このものにおいても、投影面積の大きい二次射出成形用キャビティ部内に投影面積の小さい一次射出成形部が落ち込まないようにするには、前述で述べたのと同じ理由で射出成形用金型装置の型開き方向は縦方向でなければならず、型開き方向を横方向にすると、投影面積の大きい二次射出成形用キャビティ部内に投影面積の小さい一次射出成形部が落ち込んで、二次射出成形部を正確に成形できないという問題がある。
【０００７】
ここで、投影面積の大きい二次射出成形部を先に成形し、その後に投影面積の小さい一次射出成形部をその投影面が第二の樹脂成形部の投影面の一部に完全に重複するように成形することも考えられるが、投影面積の大きい二次射出成形部を例えば軟質樹脂で形成し、投影面積の小さい一次射出成形部を硬質樹脂で成形するとした場合、先に形成した軟質樹脂よりなる二次射出成形部が柔軟性を有しているので、二次射出成形用キャビティ部内に後から硬質樹脂を射出する際の射出圧により硬質樹脂が軟質樹脂内に食い込んでしまい。軟質樹脂だけで構成すべき二次射出成形部内に硬質樹脂が部分的に存在することになって、軟質樹脂のみで構成する二次射出成形部の本体の機能、例えば、滑り止め機能や折り曲げ自在な機能（ヒンジ機能）等が損なわれてしまうという問題があってこの方法は採用し難い。
【０００８】
したがって、投影面積が小さい一次射出成形部が硬質樹脂製でこの一次射出成形部よりも投影面積の大きい二次射出成形部が軟質樹脂製となった合成樹脂射出成形品を成形するには、前述のように、投影面積の小さい硬質合成樹脂製の一次射出成形部を形成した後、投影面積の大きい軟質樹脂よりなる二次射出成形部を形成して重複一体化する必要があり、しかも、この場合、前述のように射出成形用金型装置の型開き方向が縦方向でなければならないという制約がある。
【特許文献１】特開平１０−２０１５９８号公報
【発明の開示】
【発明が解決しようとする課題】
【０００９】
本発明は上記の従来の問題点に鑑みて発明したものであって、１つの射出成形用金型装置を用いて投影面積の小さい一次射出成形部を成形した後に投影面積の大きい二次射出成形部を成形して一次射出成形部と重複一体化した合成樹脂射出成形品を簡単に且つ正確に成形でき、特に、射出成形用金型装置の型開き方向が横方向であっても一次射出成形部が二次射出成形用キャビティ部に落ち込むことがなく、正確に成形できる合成樹脂射出成形品の成形方法及び射出成形用金型装置を提供することを課題とするものである。
【課題を解決するための手段】
【００１０】
上記課題を解決するために本発明に係る合成樹脂射出成形品の成形方法は、一次射出成形部１１と二次射出成形部２１とが重複一体化された合成樹脂射出成形品１を型開き方向が横方向となった射出成形用金型装置２により成形するための成形方法であって、複数の金型部３よりなる射出成形用金型装置２を型閉すると共に金型部３に横方向に前進後退自在に設けたスライドコア４を前進させて一次射出成形用キャビティ部１２を形成し、次に、この一次射出成形用キャビティ部１２に第一の樹脂１３を一次射出成形により射出して一次射出成形部１１を成形し、次に、一次射出成形部１１を保持手段５で保持した状態で、スライドコア４を一次射出成形部１１から離れる方向に後退させて二次射出成形用キャビティ部２２を形成すると共に、スライドコア４の移動方向から投影した該二次射出成形用キャビティ部２２の投影面内に該投影面の投影面積と同じか又は小さい投影面積の上記一次射出成形部１１の投影面が完全に重複するように二次射出成形用キャビティ部２２の大きさを設定し、次に、保持手段５で一次射出成形部１１を保持した状態で、二次射出成形用キャビティ部２２に第二の樹脂２３を射出して一次射出成形部１１よりも投影面積が同じか又は大きい二次射出成形部２１を形成すると共に二次射出成形部２１に一次射出成形部１１を重複一体化することを特徴とするものである。
【００１１】
このような方法を採用することで、スライドコア４の移動方向から投影した投影面積の小さい一次射出成形部１１を成形した後に、投影面積の大きい二次射出成形部２１を重複一体化するという順序で合成樹脂射出成形品１を成形するに当たって、射出成形用金型装置２の型開き方向が横方向であっても射出成形用金型装置２内で先に成形した一次射出成形部１１がこれよりも投影面積の大きい二次射出成形用キャビティ部２２内に落ち込むことがなく、目的とする重複一体化の合成樹脂射出成形品１を簡単且つ正確に成形できるものであり、しかも、単一の射出成形用金型装置２で成形できるので、コストが安く、成形時間も短縮できるものである。
【００１２】
また、スライドコア４にスライドコア４の移動方向に孔６を貫通形成し、該孔６に保持ピン７をスライド自在に嵌挿し、スライドコア４を前進させた一次射出成形時に保持ピン７がスライドコア４の一次射出成形用キャビティ部１２に面する前面よりも一次射出成形用キャビティ部１２から離れる方向に引き込んで孔６の前端部に充填用孔部８を形成し、一次射出成形により一次射出成形用キャビティ部１２内に第一の樹脂１３が充填された際に充填用孔部８に同時に第一の樹脂１３を充填することで、一次射出成形用キャビティ部１２に充填した第一の樹脂１３により一次射出成形部１１を成形すると共に、充填用孔部８に充填した第一の樹脂１３により上記一次射出成形部１１の片面に突出した突部９を一体に成形し、次に、突部９の突出先端面を保持ピン７の前端で保持した状態でスライドコア４を後退させて二次射出成形用キャビティ部２２を形成し、次に、突部９の突出先端面を保持ピン７の前端で保持した状態のまま二次射出成形用キャビティ部２２に第二の樹脂２３を射出して一次射出成形部１１よりも投影面積の大きい二次射出成形部２１を形成すると共に二次射出成形部２１に一次射出成形部１１を重複一体化し且つ突部９を二次射出成形部２１内に一体に埋設するすることが好ましい。
【００１３】
このような方法を採用することで、保持ピン７により一次射出成形により先に成形した一次射出成形部１１を保持して一次射出成形部１１が二次射出成形用キャビティ部２２内に落ち込まないように保持して位置決めした状態で二次射出成形により二次射出成形部２１を成形して目的とする重複一体化の合成樹脂射出成形品１を簡単且つ正確に成形できる。しかも、突部９を二次射出成形部２１内に一体に埋設することで、突部９がアンカー部となって一次射出成形部１１と二次射出成形部２１とがより強固に一体化するものである。
【００１４】
また、第一の樹脂１３が硬質樹脂で、第二の樹脂２３が軟質樹脂であることが好ましい。
【００１５】
このようにすることで、一次射出成形により投影面積の小さい硬質樹脂よりなる一次射出成形部１１を形成した後に、二次射出成形により投影面積の大きい軟質樹脂を射出して一次射出成形部１１に重複するように二次射出成形部２１を成形することになるので、二次射出成形時の射出圧により軟質樹脂が第二硬質樹脂により成形された一次射出成形部１１に食い込むことがなく、目的とする重複一体化の合成樹脂射出成形品１を簡単且つ正確に成形できる。
【００１６】
また、本発明の射出成形用金型装置は、一次射出成形部１１と二次射出成形部２１とが重複一体化された合成樹脂射出成形品１を成形するための複数の金型部３よりなり且つ型開き方向が横方向となった射出成形用金型装置２であって、金型部３に横方向に前進後退自在にスライドコア４を設け、複数の金型部３を型閉すると共にスライドコア４を前進させて一次射出成形用キャビティ部１２を形成し、該一次射出成形用キャビティ部１２に第一の樹脂１３を射出して一次射出成形部１１を形成するための第一のゲート１４を設け、スライドコア４を一次射出成形部から離れる方向に後退させた状態で二次射出成形用キャビティ部２２を形成すると共に、スライドコア４の移動方向から投影した該二次射出成形用キャビティ部２２の投影面内に該投影面の投影面積と同じか又は小さい投影面積の上記一次射出成形部１１の投影面が完全に重複するように二次射出成形用キャビティ部２２の大きさを設定し、該二次射出成形用キャビティ部２２に第二の樹脂２３を射出して二次射出成形部２１を形成するための第二のゲート２４を設け、射出成形用金型装置２を型閉すると共にスライドコア４を前進させて一次射出成形用キャビティ部１２を形成し、この一次射出成形用キャビティ部１２に第一の樹脂１３を一次射出成形により射出して一次射出成形部１１を成形する一次射出工程と、一次射出成形部１１を保持手段５で保持した状態で、スライドコア４を後退させて二次射出成形用キャビティ部２２を形成し、保持手段５によって一次射出成形部１１の保持を継続した状態で、二次射出成形用キャビティ部２２に第二の樹脂２３を射出して二次射出成形部２１を形成すると共に二次射出成形部２１に一次射出成形部１１を重複一体化する二次射出工程を実行するように制御する制御部を設けて成ることを特徴とするものである。
【００１７】
このような構成とすることで、簡単な構成の射出成形用金型装置２で、上記した投影面積の小さい一次射出成形部１１に投影面積の大きい二次射出成形部２１が積層一体化された合成樹脂射出成形品１を、型開き方向が横方向であるにもかかわらず、一次射出成形部１１を一次射出成形で形成し、続いて二次射出成形部２１を二次射出成形で成形するという順序で成形できるものである。
【００１８】
また、スライドコア４にスライドコア４の移動方向に孔６を貫通形成し、該孔６に保持ピン７を保持ピン７に対してスライドコア４が移動自在となるように嵌挿し、スライドコア４を前進させた状態で保持ピン７の前端面がスライドコア４の一次射出成形用キャビティ部１２に面する前面よりも一次射出成形用キャビティ部１２から離れる方向に引き込んで孔６の前端部に充填用孔部８を形成し、スライドコア４を後退させて二次射出成形用キャビティ部２２を形成した状態でスライドコア４に対して保持ピン７が相対的に前進して保持ピン７の前端がスライドコア４の二次射出成形用キャビティ部２２に面する面と面一となるように設定することが好ましい。
【００１９】
このような構成とすることで、一次射出成形部１１が二次射出成形用キャビティ部２２に落ち込まないように保持する保持手段５を簡単な構造で構成できるものである。
【００２０】
また、保持ピン７を一次射出成形部１１のスライドコア４の移動方向における成形時の収縮寸法以上スライドコア４の前進方向と逆方向に移動自在とすると共に、該保持ピン７をバネ３０により一次射出成形用キャビティ部１２側に向けてバネ付勢することが好ましい。
【００２１】
このような構成とすることで、一次射出成形により先に成形した一次射出成形部１１がスライドコア４のスライド方向に収縮しても、バネ３０により一次射出成形部１１から突出した突部９を保持ピン７で押圧して正確に位置決め保持できるものである。
【００２２】
また、スライドコア４の移動方向から投影した該二次射出成形用キャビティ部２２の投影面内に、一次射出成形用キャビティ部１２に充填形成された一次射出成形部１１の収縮した状態におけるスライドコア４の移動方向から投影した投影面が完全に重複し且つ該一次射出成形部１１の収縮後のスライドコア４の移動方向から投影した投影面の外端の少なくとも一部がスライドコア４の移動方向から投影した該二次射出成形用キャビティ部２２の投影面の外端の少なくとも一部に一致するように設定することが好ましい。
【００２３】
このような構成とすることで、一次射出成形部１１が収縮しても二次射出成形部２１の外周部の少なくとも一部に一次射出成形部１１の外端部の少なくとも一部を一致させ、成形する合成樹脂射出成形品１の外端部において一次射出成形部１１と二次射出成形部２１との外端部を揃えることができるものである。
【発明の効果】
【００２４】
本発明は、投影面積が小さい一次射出成形部を成形した後に、投影面積の大きい二次射出成形部を重複一体化するという順序で合成樹脂射出成形品を成形するに当たって、射出成形用金型装置の型開き方向が横方向であっても射出成形用金型装置内で先に成形した一次射出成形部がこれよりも投影面積が同じか又は大きい二次射出成形用キャビティ部内に落ち込むことがなく、目的とする重複一体化の合成樹脂射出成形品を簡単且つ正確に成形でき、しかも、単一の射出成形用金型装置で成形できて、コストが安く、成形時間も短縮できるという効果がある。
【発明を実施するための最良の形態】
【００２５】
以下、本発明を添付図面に示す実施形態に基いて説明する。
【００２６】
本発明の合成樹脂射出成形品の成形方法及び射出成形用金型装置により成形される合成樹脂射出成形品１は二次射出成形部２１の外周縁で囲まれた部分に二次射出成形部２１よりも投影面積が同じか又は小さい一次射出成形部１１が重複一体化されたものである。一次射出成形部１１は１個の場合、２以上の複数個の場合があり、一次射出成形部１１が２個以上の場合でも、複数の一次射出成形部１１の合計の投影面積が二次射出成形部２１の投影面積と同じか又は小さく且つ二次射出成形部２１の外周縁で囲まれた領域に複数の一次射出成形部１１の全体が重複するように構成してある。
【００２７】
図５に示す実施形態では、複数の硬質樹脂よりなる第一の樹脂１３製の一次射出成形部１１の片面を二次射出成形部２１で完全に覆うと共に一次射出成形部１１同士を二次射出成形部２１で接続した例（接続部分が軟質樹脂よりなる第二の樹脂２３製のヒンジ部３６となっている）が示してある。
【００２８】
図１には本発明の射出成形用金型装置２の一例が示してある。
【００２９】
射出成形用金型装置２は複数の金型部３と、金型部３に設けた前進、後退自在なスライドコア４と、第一の樹脂１３を射出するための第一のゲート１４と、第二の樹脂２３を射出するための第二のゲート２４とを備えている。
【００３０】
金型部３としては固定金型部３ａと可動金型部３ｂとがあり、固定金型部３ａの可動金型部３ｂに対向する面にキャビティ形成用凹部３１が設けてあり、可動金型部３ｂの固定金型部３ａの上記キャビティ形成用凹部３１に対向する面に固定金型部３ａ側に向けて開口する凹所３２が設けてあり、該凹所３２にスライドコア４が前進、後退自在に内装してあり、複数の金型部３を型閉めし且つスライドコア４を固定金型部３ａ側に前進させた状態で上記キャビティ形成用凹部３１とスライドコア４の前端面とで囲まれた部分に一次射出成形用キャビティ部１２を形成するようになっている。
【００３１】
本発明においては、可動金型部３ｂは固定金型部３ａに対して横方向（水平方向）に移動自在となっており、可動金型部３ｂを横方向に移動することで型閉めしたり、型開きしたりするようになっている。また、スライドコア４は可動金型部３ｂに対して可動金型部３ｂの可動方向と同方向、つまり、横方向に移動自在となっており、スライドコア４を固定金型部３ａ側に向けて前進させることで、上記のようにキャビティ形成用凹部３１とスライドコア４の前端面とで囲まれた部分に一次射出成形用キャビティ部１２を形成し、また、スライドコア４を固定金型部３ａから離れる方向に後退させることで、一次射出成形により一次射出成形用キャビティ部１２に成形された一次射出成形部１１のスライドコア４側の面とスライドコア４が後退することにより現われる凹所３２とで囲まれた部分に二次射出成形用キャビティ部２２が形成されるようになっている。ここで、スライドコア４を前進させて一次射出成形用キャビティ部１２を形成した状態では第二の樹脂２３を射出するための第二のゲート２４がスライドコア４により閉じられている。
【００３２】
スライドコア４にはスライドコア４の移動方向と同じ方向に孔６を貫通形成してある。可動金型部３ｂにはスライドコア４の移動方向（可動金型部３ｂの移動方向と同じ）と同方向に長くなった保持ピン７が設けてあり、この保持ピン７は後部が可動金型部３ｂの上記凹所３２の溝底部に設けた孔３３に嵌挿してあり、前部が凹所３２内に移動自在に内装したスライドコア４に設けた上記孔６に相対的に移動自在に嵌挿してある。ここで、金型部３を型閉めすると共にスライドコア４を前進させ一次射出成形用キャビティ部１２を形成した状態で、保持ピン７の前端面がスライドコア４の一次射出成形用キャビティ部１２に面する前面よりも一次射出成形用キャビティ部１２から離れる方向に引き込んで孔６の前端部に充填用孔部８を形成するように構成してある。また、実施形態では、一次射出成形の後で、スライドコア４を後退させて上記のように二次射出成形用キャビティ部２２を形成した状態で、保持ピン７の前端面がスライドコア４の前端面と面一となるように構成してある。
【００３３】
上記のような射出成形用金型装置２を用いて合成樹脂射出成形品１の成形するには以下のようにして行うものである。
【００３４】
まず、図１に示すように複数の金型部３を型閉めすると共にスライドコア４を前進させて一次射出成形用キャビティ部１２を形成し、この一次射出成形用キャビティ部１２に図２に示すように、第一のゲート１４から第一の樹脂１３を一次射出成形により射出して一次射出成形部１１を成形する一次射出工程を実施する。
【００３５】
この一次射出成形により一次射出成形用キャビティ部１２内に一次射出成形部１１が成形されると共に同時に第一の樹脂１３が充填用孔部８内に充填されて一次射出成形部１１と一体に一次射出成形部１１のスライドコア４に対向する面に突部９が突出成形される。
【００３６】
次に、スライドコア４を後退させて二次射出成形用キャビティ部２２を形成するのであるが、この場合、図３に示すように、スライドコア４が後退しても保持手段５を構成する保持ピン７の前端面が上記一次射出成形部１１の片面側に一体に突設された突部９の突出端面を押して支持していることになり、したがって、スライドコア４を横方向に移動して後退させて二次射出成形用キャビティ部２２を形成する際、一次射出成形部１１が保持ピン７により位置決めされた状態で保持される。
【００３７】
ここで、本発明においては、スライドコア４の移動方向から投影した該二次射出成形用キャビティ部２２の投影面内に該二次射出成形用キャビティ部２２の投影面積と同じか又は該投影面よりも小さい投影面積の上記一次射出成形部１１の投影面が完全に重複するように二次射出成形用キャビティ部２２の大きさを設定してあるが、上記のように保持ピン７で投影面の投影面積の小さい（又は同じ）一次射出成形部１１が投影面の投影面積の大きい（又は同じ）二次射出成形用キャビティ部２２内に落ち込むことがなく、正確に位置決め保持されるのである。
【００３８】
このように保持手段５で一次射出成形部１１を保持した状態で、図４に示すように、第二のゲート２４から二次射出成形用キャビティ部２２に第二の樹脂２３を射出して一次射出成形部１１よりも投影面積が同じか又は大きい二次射出成形部２１を形成すると共に二次射出成形部２１に一次射出成形部１１を重複一体化するという二次射出工程を実行する。この二次射出工程において、二次射出成形部２１を成形した際に一次射出成形部１１と一体となった突部９が二次射出成形部２１内に一体に埋設される。
【００３９】
次に、射出成形用金型装置２を型開きして合成樹脂射出成形品１を取出す離型工程を実行する。
【００４０】
これらの一連の型閉めから、一次射出成形、二次射出成形、離型工程という一連の工程は制御部（図示せず）の制御により実行するものである。
【００４１】
なお、第一の樹脂１３が硬質樹脂で、第二の樹脂２３が軟質樹脂であると、一次射出成形と投影面積が同じか又は小さい硬質樹脂よりなる一次射出成形部１１を形成した後に、二次射出成形により投影面積の大きい軟質樹脂を射出して一次射出成形部１１に重複するように二次射出成形部２１を成形することになるので、二次射出成形時の射出圧により軟質樹脂が硬質の第一の樹脂１３により成形された一次射出成形部１１に食い込むことがなく、目的とする重複一体化の合成樹脂射出成形品１を簡単且つ正確に成形でき、また、軟質樹脂製のヒンジ部３６も成形できるので、硬質の第一の樹脂１３よりなる一次射出成形部１１同士を軟質樹脂製のヒンジ部３６により一体に連結できるものである。
【００４２】
次に、本発明の他の実施形態を図６乃至図１０に基いて説明する。本実施形態においては、可動金型部３ｂに保持手段５を構成する保持ピン７を設けるに当たり、図６に示すように、保持ピン７を一次射出成形部１１のスライドコア４の移動方向における成形時の収縮寸法以上スライドコア４の前進方向と反対方法に移動自在にし、該保持ピン７をスライド方向にバネ３０により一次射出成形用キャビティ部１２側に向けてバネ付勢するように構成するようにしている。
【００４３】
すなわち、可動金型部３ｂの凹所３２の溝底部に設けた孔３３の孔奥部には大径孔３４が設けてあり、孔３３に移動自在に嵌挿した保持ピン７の後端部の膨大部３５が上記大径孔３４に移動自在に嵌め込んであり、膨大部３５の後端面をバネ３０により弾性的に押圧してある。ここで膨大部３５は大径孔３４内において、寸法Ｔ１保持ピン７の突出方向に移動自在となっており、この寸法Ｔ１が一次射出成形部１１のスライドコア４の移動方向における成形時の収縮寸法以上となっている。
【００４４】
このような実施形態の射出成形用金型装置２は、まず、図６（ａ）に示すように複数の金型部３を型閉めすると共にスライドコア４を前進させて一次射出成形用キャビティ部１２を形成するのであるが、この場合、図６（ｂ）のように膨大部３５の前端面が大径孔３４の前面に当接する。この状態で、図７に示すように、一次射出成形用キャビティ部１２に第一のゲート１４から第一の樹脂１３を一次射出成形により射出して一次射出成形部１１を成形する一次射出工程を実施する。この1次射出工程において、一次射出成形用キャビティ部１２内に一次射出成形部１１が成形されると共に同時に第一の樹脂１３が充填用孔部８内に充填され、樹脂圧により保持ピン７が後退し（この場合、添付図面の実施形態のように、膨大部３５の後端面が大径孔３４の後面に当接するようにしてもよいが、当接しないでもよい）、充填用孔部８内に充填された第一の樹脂１３により一次射出成形部１１と一体に一次射出成形部１１のスライドコア４に対向する面に突部９が突出成形される。
【００４５】
突部９を突設した一次射出成形部１１は一次射出成形用キャビティ部１２内で図８（ａ）に示すように収縮するのであるが、この場合、スライドコア４の移動方向において一次射出成形部１１が収縮しても、図８（ｂ）に示すようにバネ３０により膨大部３５が前方に押され、保持ピン７の前端により突部９の突出面を押した状態を正確に保持し続けることになる。
【００４６】
このようにして保持ピン７により一次射出成形部１１を保持した状態で、スライドコア４を後退させて図９のように二次射出成形用キャビティ部２２を形成する。
【００４７】
このように保持手段５を構成する保持ピン７で一次射出成形部１１を保持した状態で、図１０（ａ）のように、第二のゲート２４から二次射出成形用キャビティ部２２に第二の樹脂２３を射出して一次射出成形部１１と投影面積が同じか又は大きい二次射出成形部２１を形成すると共に二次射出成形部２１に一次射出成形部１１を重複一体化するという二次射出工程を実行する。この二次射出工程において、二次射出成形部２１を成形した際に一次射出成形部１１と一体となった突部９が二次射出成形部２１内に一体に埋設される。
【００４８】
次に、射出成形用金型装置２を型開きして合成樹脂射出成形品１を取出す離型工程を実行するのである。
【００４９】
ところで、図６〜図１０に示す実施形態においては、一次射出成形用キャビティ部１２内で一次射出成形部１１が収縮する際におけるスライドコア４の移動方向における収縮が生じても保持ピン７により一次射出成形部１１をスライドコア４の移動方向に動かないように保持するようにしているが、この場合、スライドコア４の移動方向から投影した該二次射出成形用キャビティ部２２の投影面内に、一次射出成形用キャビティ部１２に充填形成された一次射出成形部１１の収縮した状態におけるスライドコア４の移動方向から投影した投影面が完全に重複し且つ該一次射出成形部１１の収縮後のスライドコア４の移動方向から投影した投影面の外端の少なくとも一部がスライドコア４の移動方向から投影した該二次射出成形用キャビティ部２２の投影面の外端の少なくとも一部に一致するように設定すると、一次射出成形部１１が収縮しても二次射出成形部２１の外周部の一部に一次射出成形部１１の外端部の一部を一致させ、成形する合成樹脂射出成形品１の外端部において一次射出成形部１１と二次射出成形部２１との外端部を揃えることができる。
【００５０】
つまり、合成樹脂射出成形品１の外端部において一次射出成形部１１と二次射出成形部２１との外端部を揃えようとする箇所においては、図６（ａ）（ｃ）に示すように一次射出成形用キャビティ部１２の外端を二次射出成形用キャビティ部２２の一面を構成するスライドコア４の外端よりも寸法Ｔ２だけ外側に位置させてあるが、この寸法Ｔ２は、上記図６（ａ）（ｃ）に示す一次射出成形用キャビティ部１２内に充填形成した一次射出成形部１１の外端が、収縮後に図７（ａ）（ｃ）のようにスライドコア４の外端と一致するような寸法に設定してあり、これにより一次射出成形部１１が面方向に収縮しても二次射出成形部２１の外周部の少なくとも一部に一次射出成形部１１の外端部の少なくとも一部を一致させ、成形する合成樹脂射出成形品１の外端部において一次射出成形部１１と二次射出成形部２１との外端部を揃えることができるのである。
【００５１】
上記各実施形態のようにして、二次射出成形部２１の外周縁で囲まれた部分に二次射出成形部２１の投影面積と同じか又は小さい一次射出成形部１１が重複一体化された合成樹脂射出成形品１を型開き方向が横方向となった射出成形用金型装置２により成形するのであるが、このようにして成形する合成樹脂射出成形品１としては例えば、図１１に示すような組み立て箱を例示することができる。図１１に示す組み立て箱は、底板３７、底板３７の４辺に沿った側板３８を第一の樹脂１３の射出成形により成形し（つまり、これら底板３７、底板３７の４辺に沿った側板３８が一次射出成形部１１である）、底板３７の外面、各側板３８の各外面及び底板３７の各端辺とこれと対向する各側板３８の端辺とを折り畳み自在に接続するヒンジ部３６をそれぞれ第二の樹脂２３の射出成形により一体に成形してある（つまり、底板３７の外面部分、各側板３８の外面部分及びヒンジ部３６がそれぞれ二次射出成形部２１である）。そして、底板３７、底板３７の４辺に沿った側板３８を形成する一次射出成形部１１を硬質樹脂、底板３７の外面部分、各側板３８の外面部分及びヒンジ部３６が一体となった二次射出成形部２１を形成する第二の樹脂２３を軟質樹脂とすると、組み立て箱のヒンジ部３６を軟質樹脂で形成することで、硬質樹脂よりなる底板３７、側板３８により組み立て箱としての強度、組み立て状態における形状を保ちながら、簡単且つスムーズに折り畳むことができ、また、底板３７の外面部分、各側板３８の外面部分を軟質樹脂とすることで、軟質樹脂が滑り止め機能を発揮することができる。
【００５２】
もちろん、本発明において成形する合成樹脂射出成形品１としては上記の組み立て箱に限定されるものではなく、他の様々な製品を成形することができるものである。
【図面の簡単な説明】
【００５３】
【図１】本発明の射出成形用金型装置の型閉め状態の断面図である。
【図２】同上の一次射出成形用キャビティ部に一次射出成形により第一の樹脂を充填して一次射出成形部を成形した状態の射出成形用金型装置の断面図である。
【図３】同上の一次射出成形部を保持手段で保持した状態で二次射出成形用キャビティ部を形成した段階の射出成形用金型装置の断面図である。
【図４】同上の二次射出成形用キャビティ部に二次射出成形により第二の樹脂を充填して二次射出成形部を成形した状態の射出成形用金型装置の断面図である。
【図５】同上により成形した合成樹脂射出成形品の一例を示す斜視図である。
【図６】（ａ）は本発明の射出成形用金型装置の他の実施形態の型閉め状態の断面図であり、（ｂ）は（ａ）のＸ部分の拡大断面図であり、（ｃ）は（ａ）のＹ部分の拡大断面図である。
【図７】（ａ）は同上の一次射出成形用キャビティ部に一次射出成形により第一の樹脂を充填して一次射出成形部を成形した状態の射出成形用金型装置の断面図であり、（ｂ）は（ａ）のＸ部分の拡大断面図であり、（ｃ）は（ａ）のＹ部分の拡大断面図である。
【図８】（ａ）は同上の一次射出成形用キャビティ部内において一次射出成形部が収縮した状態の断面図であり、（ｂ）は（ａ）のＸ部分の拡大断面図であり、（ｃ）は（ａ）のＹ部分の拡大断面図である。
【図９】（ａ）は同上の一次射出成形部を保持手段で保持した状態で二次射出成形用キャビティ部を形成した段階の射出成形用金型装置の断面図であり、（ｂ）は（ａ）のＸ部分の拡大断面図であり、（ｃ）は（ａ）のＹ部分の拡大断面図である。
【図１０】（ａ）は同上の二次射出成形用キャビティ部に二次射出成形により第二の樹脂を充填して二次射出成形部を成形した状態の射出成形用金型装置の断面図であり、（ｂ）は（ａ）のＸ部分の拡大断面図であり、（ｃ）は（ａ）のＹ部分の拡大断面図である。
【図１１】（ａ）は同上の合成樹脂射出成形品が組み立て箱の例を示す展開平面図であり、（ｂ）は組み立て状態の斜視図である。
【符号の説明】
【００５４】
１  合成樹脂射出成形品
２  射出成形用金型装置
３  金型部
４  スライドコア
５  保持手段
６  孔
７  保持ピン
８  充填用孔部
９  突部
１１  一次射出成形部
１２  一次射出成形用キャビティ部
１３  第一の樹脂
１４  第一のゲート
２１  二次射出成形部
２２  二次射出成形用キャビティ部
２３  第二の樹脂
２４  第二のゲート
３０  バネ
【図１】
2005271289.tif 000003
【図２】
2005271289.tif 000004
【図３】
2005271289.tif 000005
【図４】
2005271289.tif 000006
【図５】
2005271289.tif 000007
【図６】
2005271289.tif 000008
【図７】
2005271289.tif 000009
【図８】
2005271289.tif 000010
【図９】
2005271289.tif 000011
【図１０】
2005271289.tif 000012
【図１１】
2005271289.tif 000013